(57)【特許請求の範囲】
【請求項１】
容器本体の上端開口部に複数の液通孔を設けたフタを取り付けるとともに、該フタの上部に前記液通孔と連通する連通孔を設けたカバーを回転可能に取り付け、該カバーを回転させて前記連通孔をフタのいずれかの液通孔に連通させて１つの液通孔を開状態とする構成とした飲料用容器において、
前記容器本体の側面に把手を設けるとともに、前記フタの複数の液通孔のうち２つを前記把手に対して略直角方向に配置し、また、
前記カバーに、前記把手を持った使用者が指で操作可能な位置まで延びる回転操作用の操作部を設けるとともに、該操作部と前記把手とを一致させた状態で前記液通孔のいずれとも一致しないように前記連通孔を前記操作部の両側にそれぞれ設けたことを特徴とする飲料用容器。
【請求項２】
前記フタに、中央上面より突出する凸部と該凸部の上端より水平に突出した係止フランジ部と該係止フランジ部に形成した切込部とからなるカバー用取付部を設ける一方、前記カバーに、中央下面より突設し前記係止フランジ部と嵌合可能な円筒部と該円筒部の下端より内方に突出し前記切込部に挿通可能な係止突起とからなるフタ用取付部を設けたことを特徴とする請求項１に記載の飲料用容器。
【請求項３】
前記カバーのフタ用取付部の円筒部の下端に係止部を設ける一方、前記フタの上面のカバー用取付部の近傍に前記係止部に係止する被係止部を設け、前記カバーを回転させて該カバーの連通孔とフタのいずれかの液通孔とを連通させると前記係止部と被係止部が係止する構成とした請求項２に記載の飲料用容器。
【発明の詳細な説明】
【０００１】
【発明の属する技術分野】
本発明は飲料用容器に関するものである。
【０００２】
【従来の技術】
従来、容器本体にフタを取り付けた飲料用容器は、容器本体内の飲料水を飲む際に、容器本体を把持した状態でその都度フタを取り外していた。しかし、飲料水を飲む都度にフタの開閉動作をするのは面倒である。そこで、特開平７−２５１８５４号公報では、フタを取り外すことなく容器本体内の飲料水を飲むことを目的として、図９に示す把手付き飲料用容器を提供している。
【０００３】
前記把手付き飲料用容器１は、側面に把手３を備えた容器本体２の上部外周面に、始端が異なる２条の雄ねじ部４ａ，４ｂが設けられている。また、前記容器本体２の開口部を閉じるフタ部材５は、前記容器本体２の開口部よりもやや小径の内筒部５ａと、該内筒部５ａの外周面より水平および下方に延び、前記容器本体２の開口部よりも大径の外筒部５ｂと、前記内筒部５ａの下端を閉じるフタ部７とからなる。前記外筒部５ｂの内周面には雌ねじ部６が設けられている。前記フタ部７には、下部に１つの液通孔７ａが設けられるとともに、上部に空気孔７ｂが設けられている。
【０００４】
前記把手付き飲料用容器１を使用する際には、図８に示すように、把手３に対して液通孔７ａが直角方向にくるように、すなわち、使用者の利き手で把手３を持って容器本体２を口に近づけたときに液通孔７ａが手前側にくるように、予め容器本体２にフタ部材５を取り付けておく。これにより、使用者が容器本体２内の飲料水を飲む際にフタ部材５を取り外すことなく、液通孔７ａを通して容器本体２内の飲料水を飲むことができる。
【０００５】
【発明が解決しようとする課題】
しかしながら、前記把手付き飲料用容器１は、飲料水を飲むための液通孔７ａが１つしか設けられていないため、飲み口が限定され便利性が悪いという問題がある。また、フタ部材５を一旦取り付けた状態では液通孔７ａの位置を変更することができない。そのため、図８に示すように、右利きの使用者がフタ部材５を取り付けた場合には、その把手付き飲料用容器１を左利きの使用者が使用するのは困難である。即ち、左右いずれかの利き手の人専用となるため、違う利き手の人が使用する時にはフタ部材５を取り付け直さなければならないという問題があった。
【０００６】
従って、本発明は、飲み口が限定されずどの方向からでも飲むことができるようにすること、および、使用者の利き手が左右いずれであってもフタを取り付け直すことなく飲料水を飲むことができるようにすることを課題としている。
【０００７】
【課題を解決するための手段】
前記課題を解決するため、本発明の飲料用容器は、容器本体の上端開口部に複数の液通孔を設けたフタを取り付けるとともに、該フタの上部に前記液通孔と連通する連通孔を設けたカバーを回転可能に取り付け、該カバーを回転させて前記連通孔をフタのいずれかの液通孔に連通させて１つの液通孔を開状態とする構成とした飲料用容器において、前記容器本体の側面に把手を設けるとともに、前記フタの複数の液通孔のうち２つを前記把手に対して略直角方向に配置し、また、前記カバーに、前記把手を持った使用者が指で操作可能な位置まで延びる回転操作用の操作部を設けるとともに、該操作部と前記把手とを一致させた状態で前記液通孔のいずれとも一致しないように前記連通孔を前記操作部の両側にそれぞれ設けた構成としたものである。
【０００８】
前記飲料用容器では、フタに複数の液通孔を設けるとともに、該フタに回転可能に取り付けたカバーに前記液通孔と連通する連通孔を設けているため、カバーを回転させることにより所要位置の液通孔を開状態とすることができる。そのため、使用者は、フタを取り付け直す必要がないとともに、飲み口が限定されず、どの液通孔からも飲むことができる。
【０００９】
特に、容器本体の側面に把手を設け、前記フタの複数の液通孔のうち２つを前記把手に対して略直角方向に配置するとともに、操作部の両側にそれぞれ連通孔を設けているため、使用者は、把手を持って容器本体内の飲料水を飲むときに、フタの２つの液通孔のうち、使用者側に位置する液通孔と前記カバーの対応する連通孔とを連通させることにより、利き手が左右いずれであってもフタを取り付け直すことなく、容器本体内の飲料水を飲むことができる。さらに、前記カバーの外周部に回転操作用の操作部を、前記把手を持った使用者が指で操作可能な位置まで延びるように設けているため、使用者は、把手を持ったままその手の指でカバーを回転操作できるため、使用上の便利性が向上する。
【００１０】
さらに、前記フタに、中央上面より突出する凸部と該凸部の上端より水平に突出した係止フランジ部と該係止フランジ部に形成した切込部とからなるカバー用取付部を設ける一方、前記カバーに、中央下面より突設し前記係止フランジ部と嵌合可能な円筒部と該円筒部の下端より内方に突出し前記切込部に挿通可能な係止突起とからなるフタ用取付部を設けることが好ましい。このようにすれば、フタに対してカバーを着脱可能でかつ確実に回転可能に取り付けることができる。
【００１１】
さらにまた、前記カバーのフタ用取付部の円筒部の下端に係止部を設ける一方、前記フタの上面のカバー用取付部の近傍に前記係止部に係止する被係止部を設け、前記カバーを回転させて該カバーの連通孔とフタのいずれかの液通孔とを連通させると前記係止部と被係止部が係止する構成とすることが好ましい。このようにすれば、いずれかの液通孔を開いた状態でフタを確実に位置決め保持できるため便利性が向上する。
【００１２】
【発明の実施の形態】
以下、本発明の実施の形態を図面に従って説明する。
図１および図２は本発明の実施形態の飲料用容器１０を示す。該飲料用容器１０は、大略、容器本体１１、フタ１２およびカバー１３からなる。
【００１３】
前記容器本体１１は、有底筒状の内瓶１５と外瓶１６とからなるステンレス製の真空二重容器で構成されている。該容器本体１１の上端開口部には樹脂製の肩部材１７が取り付けられるとともに、下端閉鎖部には樹脂製の底部材１８が取り付けられている。
【００１４】
前記肩部材１７には、図３に示すように、側面に略逆Ｌ字形状に突出する把手２０が設けられている。また、肩部材１７の上部外周面には始端がそれぞれ異なる４条のねじ２１ａ，２１ｂ，２１ｃ，２１ｄが設けられている。さらに、肩部材１７の把手２０が設けられた部分の長手方向の長さは、その反対側の部分よりも長く形成され、これにより、把手２０を持ったときの肩部材１７の変形が防止されている。かつ、肩部材１７の外周面には、長手方向に所定ピッチで溝が形成され、これにより肩部材１７を直接手で持ったときの滑りが防止されている。
【００１５】
本実施形態では、前記容器本体１１における前記内瓶１５の容量は約４００ｃｃである。また、容器本体１１の下部は自動車などに備えられている所謂ドリンクホルダーに載置できる外径に設定されている。
【００１６】
前記フタ１２は、図４（Ａ），（Ｂ）に示すように、円筒部２２と、該円筒部２２の内周面より内方に延びる閉鎖板部２３とからなる。前記円筒部２２の内周面にはそれぞれ始端を有する４条のねじ２４ａ，２４ｂ，２４ｃ，２４ｄが設けられている。前記閉鎖板部２３には、１８０゜離れた位置に２つの液通孔２５ａ，２５ｂが設けられるとともに、カバー用取付部２６が設けられている。
【００１７】
前記液通孔２５ａ，２５ｂは、フタ１２を容器本体１１に取り付けると、該容器本体１１の把手２０に対して略直角方向、即ち、把手２０から略９０゜離れた所に位置するように設定されている。
【００１８】
前記カバー用取付部２６は、閉鎖板部２３の中央上面より突設した凸部２６ａと、該凸部２６ａの上端より水平方向に突出した係止フランジ部２６ｂとからなる。そして、該係止フランジ部２６ｂには、前記液通孔２５ａ，２５ｂと径方向に対応する位置に切込部２６ｃ，２６ｃが設けられている。また、閉鎖板部２３の上面であって、かつ、凸部２６の近傍には、図４（Ｃ）に示すように、一対の突起からなる被係止部２７が設けられている。また、前記係止フランジ部２６ｂの下方には、図４（Ｄ）に示すように、成形金型の抜き穴２８が設けられている。
【００１９】
前記カバー１３はフタ１２の閉鎖板部２３と略同一外径で上方に湾曲する円盤形状をなし、図５（Ａ），（Ｂ）に示すように、操作部３０、２つの切欠きからなる連通孔３１ａ，３１ｂ、および、フタ用取付部３２を備えている。
【００２０】
前記操作部３０は、一側外周部より垂直方向に延びる円板部材からなる。そして、該操作部３０の下部には、前記フタ１２の閉鎖板部２３より上方に突出した周壁上部に嵌合する嵌合溝３０ａが設けられている。
【００２１】
前記連通孔３１ａ，３１ｂは前記液通孔２５ａ，２５ｂと略同一形状をなし、前記操作部３０より両側に所要角度離れた位置、好ましくは９０゜より大きな角度離れた位置に対称に設けられている。また、該連通孔３１ａ，３１ｂの下面側周縁には、フタ１２に取り付けた時に閉鎖板部２３の上面に当接するシール用凸部３３が設けられている。なお、前記操作部３０に対する連通孔３１ａ，３１ｂの形成位置の角度は、液通孔２５ａ，２５ｂおよび連通孔３１ａ，３１ｂの大きさにより変わるが、本実施形態ではそれぞれ１２０゜になるように設定されている。
【００２２】
前記フタ用取付部３２は、前記フタ１２の係止フランジ部２６ｂの外径と略同一寸法の内径を有する円筒形状をなしている。そして、フタ用取付部３２の円筒部３２ａの下端で、かつ、前記操作部３０を通る中心線上には前記切込部２６ｃ，２６ｃより僅かに小さい形状の係止突起３２ｂ，３２ｂが内方に突設されている。また、円筒部３２ａの下端面には、前記液通孔２５ａ，２５ｂと連通孔３１ａ，３１ｂとが連通した状態で前記フタ１２の被係止部２７に係合する半球状の突起からなる係止部３４が設けられている。
【００２３】
本実施形態では、前記係止部３４を、前記操作部３０と略直角方向に対向する位置Ｐ，Ｑと、これらの位置Ｐ，Ｑの両側に３０゜間隔をあけて左右にそれぞれ３つづつ設けている。なお、符号３５は、前記係止突起３２ｂ，３２ｂを形成するときに使用した成形金型の抜き穴である。なお、この抜き穴３５は、図１に示すように、適宜の形状のシールテープ３６によって塞ぐことが好ましい。
【００２４】
次に、前記飲料用容器１０の組み立てについて説明する。
まず、容器本体１１にフタ１２を取り付ける前に、該フタ１２にカバー１３を取り付ける。具体的には、カバー１３の操作部３０に設けた嵌合溝３０ａをフタ１２の上部周縁に嵌合させるとともに、カバー１３の各係止突起３２ｂ，３２ｂをフタ１２の切込部２６ｃを通して係止フランジ部２６ｂの下方に位置させる。
【００２５】
そして、図６に示すように、カバー１３の操作部３０をフタ１２の周壁に沿ってスライドさせてカバー１３全体を矢印の方向に９０゜回転させる。これにより、カバー１３の係止突起３２ｂ，３２ｂがフタ１２の係止フランジ部２６ｂの下面に係合し、フタ１２に対してカバー１３が外れることなく回転可能に取り付けられる。また、この状態では、カバー１３の左右に３つづつ設けた係止部３４のうち、一方側の中央係止部３４とフタ１２の被係止部２７とが係合し、フタ１２に対してカバー１３を位置決め保持すると、図１に示すように、フタ１２の各液通孔２５ａ，２５ｂとカバー１３の連通孔３１ａ，３１ｂとは、いずれも連通せずに閉鎖された状態となる。
【００２６】
ついで、容器本体１１の把手２０を基準とし、前記フタ１２に取り付けたカバー１３の操作部３０が図１中Ｙ方向側の略直角方向に位置するように、前記フタ１２を容器本体１１の上部開口に位置させる。そして、容器本体１１のねじ２１ａ〜２１ｄとフタ１２の対応するねじ２４ａ〜２４ｄとを噛み合わせ、容器本体１１に対してフタ１２を９０゜回転させることにより、容器本体１１にフタ１２を取り付ける。このように、本実施形態では、フタ１２と容器本体１１とを所謂４条ねじ構造により取り付けているため、少しの回転動作で確実に固定することができる。
【００２７】
前記取付状態では、図１に示すように、フタ１２に取り付けたカバー１３の操作部３０が容器本体１１の把手２０と軸方向に一致するとともに、把手２０を持った使用者が指で操作可能な位置まで延びている。また、容器本体１１の把手２０に対してフタ１２の両液通孔２５ａ，２５ｂが直角方向に位置した状態で固定されている。
なお、前記飲料用容器１０の組み立ては前記手順に限られず、容器本体１１にフタ１２を取り付けた後に、カバー１３をフタ１２に取り付けてもよい。
【００２８】
前記飲料用容器１０を右利きの使用者が用いて容器本体１１内の飲料水を飲む場合には、右手で容器本体１１の把手２０を把持した状態で、右手の親指などでカバー１３の操作部３０を図１中Ｙ方向に押圧する。これにより、カバー１３の中央係止部３４とフタ１２の被係止部２７の係合が解除され、カバー１３がフタ１２に対してＹ方向に回転する。そして、図７（Ａ）に示すように、一方の連通孔３１ａが右利きの使用者側に位置する液通孔２５ａと連通する。
【００２９】
この時、カバー１３の中央係止部３４と隣接する係止部３４がフタ１２の被係止部２７に係合し、前記液通孔２５ａが開口した状態でカバー１３が位置決め保持される。本実施形態では、カバー１３の連通孔３１ａ，３１ｂを操作部３０に対して１２０゜間隔で設けているため、カバー１３を３０゜回転させると、連通孔３１ａと液通孔２５ａとが連通する。
【００３０】
一方、前記飲料用容器１０を左利きの使用者が用いて容器本体１１内の飲料水を飲む場合には、左手で把手２０を把持した状態でカバー１３の操作部３０を図１中Ｘ方向に押圧する。これにより、図７（Ｂ）に示すように、左利きの使用者側に位置する液通孔２５ｂにカバー１３の連通孔３１ｂが連通し、液通孔２５ｂが開口した状態で係止部３４と被係止部２７が係合してカバー１３が位置決め保持される。
【００３１】
そして、開口したフタ１２の液通孔２５ａ，２５ｂを閉じる場合には、容器本体１１の把手２０を利き手で把持した状態で、操作部３０を開き操作と逆方向に押圧してカバー１３を回転させる。これにより、フタ１２の被係止部２７とカバー１３の中央係止部３４とを再び係合させ、各液通孔２５ａ，２５ｂを閉状態とする。
【００３２】
このように、前記飲料用容器１０では、利き手が左右いずれの使用者が用いても、フタ１２を取り付け直すことなくいずれかの液通孔２５ａ，２５ｂを開状態として容器本体１１内の飲料水を飲むことができる。また、フタ１２の液通孔２５ａ，２５ｂの開閉操作は、飲料用容器１０を持った片手のみで行うことができるため、使用上の便利性を向上することができる。特に、本実施形態の飲料用容器１０を自動車内で使用する場合には、飲料水を飲まない時に各液通孔２５ａ，２５ｂを閉状態としておくことにより走行中の揺れなどで容器本体１１内の飲料水が零れることを防止できる一方、飲料水を飲む時には容易に開閉操作できるため非常に便利である。
【００３３】
なお、本発明の飲料用容器は前記構成に限定されるものではない。
例えば、フタに設ける液通孔は、容器本体に把手がある場合には前記実施形態に示すように、少なくとも２つを把手に対して直角方向に設けておけば、これら以外の位置および数は限定されない。
【００３４】
また、フタとカバーとの取付構造は、フタの上部周壁の内周面にガイド溝を設け、該ガイド溝内にカバーの外周縁を嵌合する構成としてもよい。即ち、フタに対してカバーを回転可能に取り付けれる構成であればよい。さらに、前記容器本体は二重容器でなく、一層の瓶からなる容器でもよい。かつ、容器本体とフタとの取付構造は、一巻の１条ねじにより構成してもよい。
【００３５】
【発明の効果】
以上の説明から明らかなように、本発明の飲料用容器は、容器本体の上端開口部に複数の液通孔を設けたフタを取り付けるとともに、該フタの上部に前記液通孔と連通する連通孔を設けたカバーを回転可能に取り付けているため、カバーを回転させることによりフタのいずれかの液通孔と連通孔を連通させて開状態とすることができる。そのため、フタを取り付け直す必要がないとともに飲み口が限定されることがなく、容器本体を持った状態で使用者と近接する所要の液通孔を開口させ、容器本体内の飲料水を飲むことができる。
【００３６】
また、前記容器本体に把手を設け、前記フタの複数の液通孔のうち２つを前記把手に対して略直角方向に配置するとともに、操作部の両側にそれぞれ液通孔を設けているため、使用者の利き手が左右いずれであっても、フタを取り付け直すことなくカバーを回転させることにより、把手に対する左右いずれかの液通孔を開状態として飲料水を飲むことができる。
【００３７】
しかも、前記操作部は、把手を持った使用者が指で操作可能な位置まで延びるように設けているため、片手のみでカバーを回転操作でき、より使用上の便利性を向上することができる。
【００３８】
さらにまた、前記フタに、凸部と該凸部の上端より水平に突出した係止フランジ部と該係止フランジ部に形成した切込部とからなるカバー用取付部を設ける一方、前記カバーに、前記係止フランジ部と嵌合可能な円筒部と該円筒部の下端より内方に突出し前記切込部に挿通可能な係止突起とからなるフタ用取付部を設け、これらを嵌め合わせることによりフタとカバーとを取り付けているため、これらが外れることなく確実に回転可能に取り付けることができる。
【００３９】
かつ、前記カバーのフタ用取付部の円筒部の下端に係止部を設ける一方、前記フタの上面のカバー用取付部の近傍に前記係止部に係止する被係止部を設け、前記カバーを回転させて該カバーの連通孔とフタのいずれかの液通孔とを連通させると前記係止部と被係止部が係止する構成としているため、各液通孔の開状態で位置決め保持することができ、よって、取り扱いが便利になる。
【図面の簡単な説明】
【図１】本発明に係る実施形態の飲料用容器を示す斜視図である。
【図２】図１の縦断面図である。
【図３】容器本体の一部を構成する肩部材を示す正面図である。
【図４】フタを示し、（Ａ）は平面図、（Ｂ）は（Ａ）のＩＶ−ＩＶ線断面図、（Ｃ）は（Ａ）の一部正面図、（Ｄ）は（Ａ）の一部拡大断面図である。
【図５】カバーを示し、（Ａ）は平面図、（Ｂ）は（Ａ）のＶ−Ｖ線断面図、（Ｃ）は（Ａ）の要部底面図である。
【図６】フタにカバーを取り付ける状態を示す平面図である。
【図７】（Ａ），（Ｂ）は組立状態のカバーの動作を示す平面図である。
【図８】従来の把手付き飲料用容器を示す平面図である。
【図９】図８のＦ−Ｇ−Ｈ線断面図である。
【符号の説明】
１０…飲料用容器、１１…容器本体、１２…フタ、１３…カバー、２０…把手、２３…閉鎖板部、２５ａ，２５ｂ…液通孔、２６…カバー用取付部、２７…被係止部、３０…操作部、３１ａ，３１ｂ…連通孔、３２…フタ用取付部、３４…係止部。
【図１】
0003585330.tif 000002
【図２】
0003585330.tif 000003
【図３】
0003585330.tif 000004
【図４】
0003585330.tif 000005
【図５】
0003585330.tif 000006
【図６】
0003585330.tif 000007
【図７】
0003585330.tif 000008
【図８】
0003585330.tif 000009
【図９】
0003585330.tif 000010